(57)【特許請求の範囲】
【請求項１】
熱可塑性の合成樹脂材料より成る管路部材を接続するよう防火区画貫通部に穿設された管路の貫通孔に配設され且つ継手の芯管が合成樹脂からなる防火区画貫通部用継手において、該芯管の外周面に繊維含有モルタルの不燃材料より成る外被層を設け、前記管路部材が嵌合する芯管の拡巾された接続端部に、火災の熱で膨張する耐火性の熱膨張部材を該芯管の外周面及び外被層と接して環状に装着し、該熱膨張部材を防火区画貫通部の貫通孔Ｆ１内に位置させたことを特徴とする防火区画貫通部用継手。
【請求項２】
熱可塑性の合成樹脂材料より成る管路部材を接続するよう防火区画貫通部に穿設された管路の貫通孔に配設され且つ継手の芯管が合成樹脂からなる防火区画貫通部用継手であって、該芯管の外周面に繊維含有モルタルの不燃材料より成る外被層を設け、前記管路部材が嵌合する芯管の拡巾された接続端部に、火災の熱で膨張する耐火性の熱膨張部材を該芯管の外周面及び外被層と接して環状に装着したものにおいて、該耐火性の熱膨張部材を、該接続端部を覆った外被層の内側に形成されるリング状溝形の膨張保持部に装着したことを特徴とする防火区画貫通部用継手。
【発明の詳細な説明】
【０００１】
【発明の属する技術分野】
本発明は、熱可塑性の合成樹脂材料より成る管路部材を接続すべく防火区画貫通部に穿設された管路の貫通孔に配設される防火区画貫通部用継手に関する。
【０００２】
【従来の技術】
防火区画とは、共同住宅等において、床や天井等の上下、壁等の左右の仕切（スラブ）のことであり、出火に際し、延焼を起してはならない仕切をいう。このため、ＪＩＳ  Ａ１３０４では、仕切の延焼が生じる側の表面温度が木材発火温度の２６０℃以下である構造が必要とされている。
【０００３】
このような防火区画貫通部に関する従来の技術としては、例えば実開平０６−７７５５号公報に開示されたものがある。すなわち、同公報には、防火区画の両側の室の間の火炎の伝播を抑えるための防火構造が開示されている。この防火構造は、塩化ビニール等の燃焼性の熱可塑性材料より成る管部材が防火区画貫通部を貫通する部位で管部材に巻き付けるように耐火性の熱膨張材を後付けで装着し、もし、区画の一方で火災が発生したような場合、火災の熱で熱膨張材が膨らんで管路を塞ぐことにより、区画の両側を遮断するようになっている。これにおける装着の仕方は、耐火性の膨張材を管部材に巻装し、その上から保持するための別部材である膨張保持部材を被せて保持している。
【０００４】
【特許文献１】
実開平０６−７７５５号
【０００５】
【非特許文献】
「ビルデイングレター」日本建築センター  編集発行
【０００６】
【発明が解決しようとする課題】
しかしながら、このような従来の技術では、管部材が防火区画貫通部を貫通している態様の場合に限られるので、継手には利用することができず、使い勝手が悪い場合があるという問題点があった。
【０００７】
また、管部材に後付けするようになっていて、強度のない熱膨張材を保持する関係で、別部材である膨張保持部材を特別な構造にしなければならず、部材としてコストの高いものになったり、施工に工数がかかってコスト高になるという問題点があった。
【０００８】
本発明は、このような従来の技術が有する問題点に着目してなされたもので、使い勝手がよく、取り扱いや施工の容易な防火区画貫通部用の熱膨張部材を備えた継手を提供することを目的とするものである。
【０００９】
【課題を解決するための手段】
上記の目的を達成するため、本発明では、熱可塑性の合成樹脂材料より成る管路部材（Ｐ）を接続するよう防火区画貫通部（Ａ）に穿設された管路の貫通孔（Ｆ１）に配設され且つ継手の芯管が合成樹脂からなる防火区画貫通部用継手（１）において、該芯管の外周面に繊維含有モルタルの不燃材料より成る外被層（３０）を設け、前記管路部材（Ｐ）が嵌合する芯管の拡巾された接続端部（１５）に、火災の熱で膨張する耐火性の熱膨張部材（４５）を該芯管の外周面及び外被層と接して環状に装着した。
【００１０】
該継手（１）は、外被層（３０）を有するので火炎により燃焼することはなく、その接続端部（１５）に装着された耐火性の熱膨張部材（４５）は、火災発生時に防火区画間での延焼を防止するように働く。すなわち、火災が発生して延焼のおそれがあるような熱的状態になると、該火災の熱で熱膨張部材（４５）が膨張し、管路を閉塞する。これにより、防火区画間の導通が断たれるので火炎が伝達せず、延焼が防止される。該熱膨張部材（４５）は管路の全周を巻くように配設するのが望ましく、このため、管路部材（Ｐ）が嵌合する接続端部（１５）に中心向きのリング状溝形の膨張保持部（４０）を設けてその内部に熱膨張部材（４５）を保持した。
【００１１】
リング状溝形の膨張保持部（４０）は外被層（３０）により形成してもよいが、外被層（３０）より延設された良熱伝導性の金属材料で形成すると、熱膨張部材（４５）への伝熱が良好になり、膨張が促進される。また、リング状溝形の膨張保持部（４０）を防火区画の面より室内へ突出して配設することによっても良好な伝熱状態が得られる。該耐火性の熱膨張部材に難燃ゴム複合材を使用することでその取り扱いが容易になる。
【００１２】
【発明の実施の形態】
以下、図面に基づき本発明の各種の実施の形態を説明する。図１および図２は本発明の第１の実施の形態を示しており、これらの図において、防火区画貫通部Ａは、コンクリートの床、天井もしくは壁である区画面体Ｆに管路を通す貫通孔Ｆ１が穿設されて成る。貫通孔Ｆ１内は熱可塑性の合成樹脂材料より成る管路部材Ｐ、Ｐと継手１とによる管路が貫通して配設されており、継手１を貫通孔Ｆ１内に配設したうえで継手１と貫通孔Ｆ１との隙間を耐火性の充填材Ｓで塞いだ防火構造としてある。
【００１３】
継手１は、合成樹脂の芯管２０を繊維含有モルタルの不燃材料より成る外被層３０で被覆して成り、継手１の中間部１１は管路部材Ｐと内径を同一にし、中間部１１から側方に管路部材Ｐと同様の水平管が接続される接続端部１２が形成され、上下に管路部材Ｐ、Ｐが嵌合される接続端部１４、１５が形成されている。
【００１４】
芯管２０は、塩化ビニール材料が一般的であるが、その他の合成樹脂、例えばポリプロピレン等でもよい。外被層３０は、繊維含有モルタルであり、組成の一例を示せば、普通ポルトランドセメント５２％、骨材２５％、無機質繊維２０％、有機質繊維３％である。このほかに、セラミック系、セメント系その他の材料とすることができる。
【００１５】
接続端部１５では、芯管２０が拡巾されて、管路部材Ｐの端部Ｐ１が内嵌する外嵌端２１が形成されている。外被層３０は外嵌端２１の基部の所で途切れており、外被層３０の端部３５に基部が外嵌して、良熱伝導性の金属材料で形成された保持金具１６が延設されている。
【００１６】
保持金具１６により、管路部材Ｐが嵌合する中心向きのリング状溝形の膨張保持部４０が形成されている。膨張保持部４０は、外被層３０の端部３５の外周から延び先端を中心側に曲げて抱持片４１が形成され、抱持片４１で溝形内に抱え込むようにして、火災の熱で膨張し管路を閉塞して火炎が伝達しないようにする耐火性の熱膨張部材４５が装着されている。
【００１７】
熱膨張部材４５は、マット状あるいはシート状のものを円筒形に巻くようにして形成されており、内周は接続端部１５の芯管２０の外嵌端２１による管路の全周を巻くようにして外嵌しており、管路部材Ｐには間接的に嵌合している。
【００１８】
熱膨張部材４５は、幾種類かの商品化された組成物があり、例えば図６に示すような組成および特性をしている。マットはセラミックファイバ複合材であり、シートは難燃ゴム複合材である。またパテもある。
【００１９】
さらに、熱膨張部材４５としては、日本建築センター編集発行の「ビルデイングレター」誌に開示されている図７、図８、図９に示すようなものがあり、株式会社古河マテリアル製でそれぞれダンシールＤ、ダンシールＰ、ダンシールＦＴとの商標がつけられている。
【００２０】
次に作用を説明する。防火区画貫通部Ａの継手１は、防火区画貫通部Ａに穿設された管路の貫通孔Ｆ１に配設して使用され、継手１により熱可塑性の合成樹脂材料より成る建物配管用等の管路部材Ｐ、Ｐが上下から接続される。合成樹脂の芯管２０を繊維含有モルタルの不燃材料より成る外被層３０で被覆してあるので、施工時に芯管２０の外嵌端２１に管路部材Ｐが嵌合される。
【００２１】
継手１は繊維含有モルタルの不燃材料より成る外被層３０で被覆されているので、それ自体は火炎により燃焼することはない。管路部材Ｐが嵌合する接続端部１５の膨張保持部４０に装着された耐火性の熱膨張部材４５は、火災発生時に防火区画間での延焼を防止するよう働く。すなわち、火災が発生して延焼のおそれがあるような熱的状態になると、該火災の熱で熱膨張部材４５が膨張し管路を閉塞する。これにより、防火区画間の導通が断たれるので火炎が伝達せず、延焼が防止される。リング状溝形の膨張保持部４０は外被層３０により形成してもよいが、本実施の形態では外被層３０より延設された良熱伝導性の金属材料で保持金具が形成されているので、熱膨張部材４５への伝熱が良好で膨張が促進される。
【００２２】
熱膨張部材４５による管路閉塞の様子を図２を参照してさらに詳しく説明すると、次のとおりである。図１に示す常態では、防火区画貫通部Ａで継手１により管路が接続され、継手１を管路を通す貫通孔Ｆ１内に配設したうえで継手１と貫通孔Ｆ１との隙間が耐火性の充填材Ｓで塞がれており、管路は排水や配管等に利用されている。
【００２３】
防火区画の一方で火災が発生し、火災が広がって防火区画貫通部Ａを通して延焼のおそれがあるような状況になると、図２（ａ）に示すように、管路部材Ｐは熱により軟化し始め、継手１の芯管２０も軟化し始める。この熱は熱膨張部材４５の膨張保持部４０の外側に伝わっており、所定温度以上になると熱膨張部材４５が膨張を始める。
【００２４】
熱膨張部材４５は継手１の芯管２０の外嵌端２１を介して管路部材Ｐの外周に接しており、図２（ｂ）に示すように、温度上昇に応じて熱膨張部材４５は軟化した芯管２０の外嵌端２１および管路部材Ｐを押しつぶしながら中心に向かって膨張する。
【００２５】
火炎が迫り高熱になると、図２（ｃ）に示すように、熱膨張部材４５は十分に膨張して管路の中心まで達し、管路が塞がれる。その際、合成樹脂製の管路部材Ｐは溶断する。耐火性の熱膨張部材４５で管路が塞がれるので、防火区画の貫通孔Ｆ１は不燃材料より成る継手１の外被層３０と継手１と貫通孔Ｆ１との隙間を塞ぐ耐火性の充填材Ｓと、熱膨張部材４５とで塞がれ、防火区画を越えて火炎が伝播することがないよう阻止される。
【００２６】
図３は本発明の第２の実施の形態を示している。本実施の形態では、充填材Ｓが貫通孔Ｆ１の隙間全てに充填されている。
【００２７】
図４は本発明の第３の実施の形態を示している。本実施の形態では、継手１のリング状溝形の膨張保持部４０は、外被層３０により形成されている。また、いずれの接続に対しても防火性を有するよう各方向に膨張保持部４０、４０…が形成されている。
【００２８】
図５は本発明の第４の実施の形態を示している。本実施の形態は、第３の実施の形態と要部は同一であるが、接続端部１２がなく、防火区画貫通部Ａ曲がり管１２ｂとなっている。
【００２９】
尚、管路部材Ｐの外周にも不燃材料の外被層を設けることは任意である。
【００３０】
【発明の効果】
本発明にかかる防火区画貫通部用継手によれば、継手の外周に繊維含有モルタルの不燃材料の外被層を設けるとともに該継手の管路部材が嵌合する合成樹脂製の芯管の拡巾された接続端部に、火災の熱で膨張する耐火性の熱膨張部材を該芯管の外周面及び外被層と接して環状に装着したので、合成樹脂材料より成る管路部材の接続作業や取り扱いが容易になる等の効果があり、請求項２の構成とすることでより一層的確に本発明の目的が達成できる。
【図面の簡単な説明】
【図１】本発明の第１の実施の形態に係る継手の使用状態を示す断面図
【図２】本発明の第１の実施の形態に係る継手の作用を示す説明図
【図３】本発明の第２の実施の形態に係る継手の使用状態を示す断面図
【図４】本発明の第３の実施の形態に係る継手の使用状態を示す断面図
【図５】本発明の第４の実施の形態に係る継手の使用状態を示す断面図
【図６】熱膨張部材の一例の物性を示す図表
【図７】熱膨張部材の他の例の物性を示す図表
【図８】熱膨張部材の他の例の物性を示す図表
【図９】熱膨張部材の他の例の物性を示す図表
【符号の説明】
Ａ  防火区画貫通部、Ｆ  区画面体、Ｆ１  貫通孔、Ｐ  管路部材、Ｐ１  端部、１  継手、１５  接続端部、１６  保持金具、２０  芯管、２１  外嵌端、３０  外被層、４０  膨張保持部、４５  熱膨張部材、
【図１】
0004278368.tif 000002
【図２】
0004278368.tif 000003
【図３】
0004278368.tif 000004
【図４】
0004278368.tif 000005
【図５】
0004278368.tif 000006
【図６】
0004278368.tif 000007
【図７】
0004278368.tif 000008
【図８】
0004278368.tif 000009
【図９】
0004278368.tif 000010